(57)【要約】  ユーザ機器（ＵＥ）による高速状態遷移をサポートするための技法が説明される。ＵＥは、このＵＥがユーザデータを送信または受信しない第１の状態（たとえばＣＥＬＬ＿ＰＣＨ状態）で動作する。ＵＥは、第１の設定情報（識別子または物理チャネルパラメータ）を搬送しているページングメッセージを受信する。ＵＥは、ページングメッセージを受信したことに応答して第１の状態から第２の状態（たとえばＣＥＬＬ＿ＤＣＨ状態）に遷移する。ＵＥは、ページングメッセージから受信された第１の設定情報およびＵＥに記憶された第２の設定情報に基づいて通信パラメータのセットを決定する。次いでＵＥは、通信パラメータのセットに基づいてユーザデータを交換する。ＵＥは、ページングメッセージで送信する第１の設定情報の量を減らすために、一部のパラメータに対してデフォルト値を使用する。【選択図】    図４
2010514376.tif 000002
【特許請求の範囲】
【請求項１】
ユーザ機器（ＵＥ）の第１の設定情報を備えるページングメッセージを受信し、前記ページングメッセージから受信された前記第１の設定情報および前記ＵＥに記憶された第２の設定情報に基づいて通信パラメータのセットを決定し、かつ、前記通信パラメータのセットに基づいてユーザデータを交換するように構成された少なくとも１つのプロセッサと；
前記少なくとも１つのプロセッサに結合され、前記第２の設定情報を記憶するように構成されたメモリと；
を備えた無線通信用の装置。
【請求項２】
前記少なくとも１つのプロセッサは、前記第１の設定情報に基づいて物理チャネルパラメータのセットを決定するように構成され、前記通信パラメータのセットは、前記物理チャネルパラメータのセットを備える、請求項１に記載の装置。
【請求項３】
前記第１の設定情報は前記物理チャネルパラメータのセットを備える、請求項２に記載の装置。
【請求項４】
前記第１の設定情報は、前記物理チャネルパラメータのセットに関連付けられた事前定義設定の識別子を備える、請求項２に記載の装置。
【請求項５】
前記少なくとも１つのプロセッサは、セルから受信されたシステム情報から前記物理チャネルパラメータのセットを取得するように構成された、請求項４に記載の装置。
【請求項６】
前記物理チャネルパラメータのセットは、前記ＵＥ用の少なくとも１つの無線ネットワーク一時識別子（ＲＮＴＩ）、少なくとも１つの物理チャネル用の少なくとも１つのチャネライゼーションコード、少なくとも１つの物理チャネル用の少なくとも１つの時間オフセット、少なくとも１つのシグナチャシーケンス、スクランブリングコード、またはそれらの組合せを備える、請求項２に記載の装置。
【請求項７】
前記少なくとも１つのプロセッサは、物理チャネルパラメータのセットに対してデフォルト値を使用するように構成され、前記通信パラメータのセットは前記物理チャネルパラメータのセットを備える、請求項１に記載の装置。
【請求項８】
前記少なくとも１つのプロセッサは、第１の状態にある間、ページングメッセージを監視し、前記第１の状態に遷移するときに前記第２の設定情報を記憶するように構成された、請求項１に記載の装置。
【請求項９】
前記第２の設定情報は、物理チャネルパラメータのセット、トランスポートチャネルパラメータのセット、無線ベアラパラメータのセット、無線アクセスベアラパラメータのセット、およびセキュリティパラメータのセットのうちの少なくとも１つを備える、請求項１に記載の装置。
【請求項１０】
前記少なくとも１つのプロセッサは、共有トランスポートチャネルの代わりに専用トランスポートチャネル上で前記ページングメッセージに対する応答を送信するように構成された、請求項１に記載の装置。
【請求項１１】
前記少なくとも１つのプロセッサは、セカンダリ共通制御物理チャネル（Ｓ−ＣＣＰＣＨ）または高速物理ダウンリンク共有チャネル（ＨＳ−ＰＤＳＣＨ）を介して送信されたページングチャネル（ＰＣＨ）上の前記ページングメッセージを受信するように構成された、請求項１に記載の装置。
【請求項１２】
前記少なくとも１つのプロセッサは、前記ページングメッセージ中の物理チャネル再設定メッセージであって前記第１の設定情報を備える物理チャネル再設定メッセージを受信するように構成された、請求項２に記載の装置。
【請求項１３】
前記少なくとも１つのプロセッサは、ユニバーサル移動体通信システム（ＵＭＴＳ）のＣＥＬＬ＿ＰＣＨ状態で動作している間に前記ページングメッセージを受信し、前記ページングメッセージを受信したことに応答して前記ＣＥＬＬ＿ＰＣＨ状態からＣＥＬＬ＿ＤＣＨ状態に遷移し、前記ＣＥＬＬ＿ＤＣＨ状態で動作している間に前記ユーザデータを送信するように構成された、請求項１に記載の装置。
【請求項１４】
前記少なくとも１つのプロセッサは、ユニバーサル移動体通信システム（ＵＭＴＳ）のＵＲＡ＿ＰＣＨ状態で動作している間に前記ページングメッセージを受信し、前記ページングメッセージを受信したことに応答して前記ＵＲＡ＿ＰＣＨ状態からＣＥＬＬ＿ＤＣＨ状態に遷移し、前記ＣＥＬＬ＿ＤＣＨ状態で動作している間に前記ユーザデータを送信するように構成された、請求項１に記載の装置。
【請求項１５】
ユーザ機器（ＵＥ）の第１の設定情報を備えるページングメッセージを受信することと；
前記ページングメッセージから受信された前記第１の設定情報および前記ＵＥに記憶された第２の設定情報に基づいて通信パラメータのセットを決定することと；
前記通信パラメータのセットに基づいてユーザデータを交換することと；
を備える無線通信用の方法。
【請求項１６】
前記第１の設定情報に基づいて物理チャネルパラメータのセットを決定することをさらに備え、前記通信パラメータのセットは前記物理チャネルパラメータのセットを備える、請求項１５に記載の方法。
【請求項１７】
物理チャネルパラメータのセットに対してデフォルト値を使用することをさらに備え、前記通信パラメータのセットは前記物理チャネルパラメータのセットを備える、請求項１５に記載の方法。
【請求項１８】
第１の状態にある間、ページングメッセージを監視することと；
前記第１の状態に遷移するときに前記第２の設定情報を記憶することと；
をさらに備える、請求項１５に記載の方法。
【請求項１９】
前記第２の設定情報に関連する物理チャネルパラメータのセット、トランスポートチャネルパラメータのセット、無線ベアラパラメータのセット、無線アクセスベアラパラメータのセット、およびセキュリティパラメータのセットのうちの少なくとも１つを記憶することをさらに備える、請求項１５に記載の方法。
【請求項２０】
ユニバーサル移動体通信システム（ＵＭＴＳ）のＣＥＬＬ＿ＰＣＨ状態で動作している間に前記ページングメッセージを受信することと；
前記ページングメッセージを受信したことに応答して前記ＣＥＬＬ＿ＰＣＨ状態からＣＥＬＬ＿ＤＣＨ状態に遷移することと；
前記ＣＥＬＬ＿ＤＣＨ状態で動作している間に前記ユーザデータを送信することと；
をさらに備える、請求項１５に記載の方法。
【請求項２１】
ユーザ機器（ＵＥ）の第１の設定情報を備えるページングメッセージを受信するための手段と；
前記ページングメッセージから受信された前記第１の設定情報および前記ＵＥに記憶された第２の設定情報に基づいて通信パラメータのセットを決定するための手段と；
前記通信パラメータのセットに基づいてユーザデータを交換するための手段と；
を備えた無線通信用の装置。
【請求項２２】
前記第１の設定情報に基づいて物理チャネルパラメータのセットを決定するための手段をさらに備え、前記通信パラメータのセットは前記物理チャネルパラメータのセットを備える、請求項２１に記載の装置。
【請求項２３】
物理チャネルパラメータのセットに対してデフォルト値を使用するための手段をさらに備え、前記通信パラメータのセットは前記物理チャネルパラメータのセットを備える、請求項２１に記載の装置。
【請求項２４】
第１の状態にある間、ページングメッセージを監視するための手段と；
前記第１の状態に遷移するときに前記第２の設定情報を記憶するための手段と；
をさらに備える、請求項２１に記載の装置。
【請求項２５】
前記第２の設定情報に関連する物理チャネルパラメータのセット、トランスポートチャネルパラメータのセット、無線ベアラパラメータのセット、無線アクセスベアラパラメータのセット、およびセキュリティパラメータのセットのうちの少なくとも１つを記憶するための手段をさらに備える、請求項２１に記載の装置。
【請求項２６】
ユニバーサル移動体通信システム（ＵＭＴＳ）のＣＥＬＬ＿ＰＣＨ状態で動作している間に前記ページングメッセージを受信するための手段と；
前記ページングメッセージを受信したことに応答して前記ＣＥＬＬ＿ＰＣＨ状態からＣＥＬＬ＿ＤＣＨ状態に遷移するための手段と；
前記ＣＥＬＬ＿ＤＣＨ状態で動作している間に前記ユーザデータを送信するための手段と；
をさらに備える、請求項２１に記載の装置。
【請求項２７】
ユーザ機器（ＵＥ）の第１の設定情報を備えるページングメッセージを受信することを少なくとも１つのコンピュータに行わせるためのコードと；
前記ページングメッセージから受信された前記第１の設定情報および前記ＵＥに記憶された第２の設定情報に基づいて通信パラメータのセットを決定することを前記少なくとも１つのコンピュータに行わせるためのコードと；
前記通信パラメータのセットに基づいてユーザデータを交換することを前記少なくとも１つのコンピュータに行わせるためのコードと；
を備えるコンピュータ可読媒体を備えたコンピュータプログラム製品。
【請求項２８】
ユーザ機器（ＵＥ）の第１の設定情報を決定し、前記第１の設定情報を備えるページングメッセージを前記ＵＥに送信し、前記ページングメッセージで送信された前記第１の設定情報および前記ＵＥに記憶された第２の設定情報に基づいて前記ＵＥとユーザデータを交換するように構成された少なくとも１つのプロセッサと；
前記少なくとも１つのプロセッサに結合されたメモリと；
を備えた無線通信用の装置。
【請求項２９】
前記少なくとも１つのプロセッサは、ノードＢから前記ＵＥの物理チャネルパラメータのセットを取得し、前記ＵＥに送信される前記第１の設定情報中に前記物理チャネルパラメータのセットを提供するように構成され、前記ＵＥは、前記ノードＢからの前記物理チャネルパラメータのセットに基づいてユーザデータを交換する、請求項２８に記載の装置。
【請求項３０】
前記物理チャネルパラメータのセットは、前記ＵＥ用の少なくとも１つの無線ネットワーク一時識別子（ＲＮＴＩ）、少なくとも１つの物理チャネル用の少なくとも１つのチャネライゼーションコード、少なくとも１つの物理チャネル用の少なくとも１つの時間オフセット、少なくとも１つのシグナチャシーケンス、スクランブリングコード、またはそれらの組合せを備える、請求項２９に記載の装置。
【請求項３１】
前記少なくとも１つのプロセッサは、前記ノードＢ用の制御無線ネットワークコントローラ（ＣＲＮＣ）から少なくとも１つの物理チャネルパラメータを取得し、前記第１の設定情報中に前記少なくとも１つの物理チャネルパラメータを提供するように構成され、前記ＵＥは、さらに前記ＣＲＮＣからの前記少なくとも１つの物理チャネルパラメータに基づいてユーザデータを交換する、請求項２９に記載の装置。
【請求項３２】
ユーザ機器（ＵＥ）の第１の設定情報を決定することと；
前記第１の設定情報を備えるページングメッセージを前記ＵＥに送信することと；
前記ページングメッセージで送信された前記第１の設定情報および前記ＵＥに記憶された第２の設定情報に基づいて前記ＵＥとユーザデータを交換することと；
を備えた無線通信用の方法。
【請求項３３】
前記ＵＥの前記第１の設定情報を決定することは、
ノードＢから前記ＵＥの物理チャネルパラメータのセットを取得することと、
前記ＵＥに送信される前記第１の設定情報中に前記物理チャネルパラメータのセットを提供することと、
を備え、
前記ＵＥは、前記ノードＢからの前記物理チャネルパラメータのセットに基づいてユーザデータを交換する、請求項３２に記載の方法。
【請求項３４】
前記ＵＥの前記第１の設定情報を決定することは、
前記ノードＢ用の制御無線ネットワークコントローラ（ＣＲＮＣ）から少なくとも１つの物理チャネルパラメータを取得することと、
前記第１の設定情報中に前記少なくとも１つの物理チャネルパラメータを提供することと、
をさらに備え、
前記ＵＥは、さらに前記ＣＲＮＣからの前記少なくとも１つの物理チャネルパラメータに基づいてユーザデータを交換する、請求項３３に記載の方法。
【請求項３５】
無線ネットワークコントローラ（ＲＮＣ）からユーザ機器（ＵＥ）に対する無線リンク確立要求を受信し、前記無線リンク確立要求に応答して物理チャネルパラメータのセットを前記ＵＥに割り当て、前記物理チャネルパラメータのセットに対する第１の設定情報を前記ＲＮＣに送信し、前記ＵＥに割り当てられた前記物理チャネルパラメータのセットおよび前記ＵＥに記憶された第２の設定情報に基づいて前記ＵＥとユーザデータを交換するように構成された少なくとも１つのプロセッサと；
前記少なくとも１つのプロセッサに結合されたメモリと；
を備えた無線通信用の装置。
【請求項３６】
前記物理チャネルパラメータのセットは、前記ＵＥ用の少なくとも１つの無線ネットワーク一時識別子（ＲＮＴＩ）、少なくとも１つの物理チャネル用の少なくとも１つのチャネライゼーションコード、少なくとも１つの物理チャネル用の少なくとも１つの時間オフセット、少なくとも１つのシグナチャシーケンス、スクランブリングコード、またはそれらの組合せを備える、請求項３５に記載の装置。
【請求項３７】
ユーザ機器（ＵＥ）の第１の設定情報を決定するための手段と；
前記第１の設定情報を備えるページングメッセージを前記ＵＥに送信するための手段と；
前記ページングメッセージで送信された前記第１の設定情報および前記ＵＥに記憶された第２の設定情報に基づいて前記ＵＥとユーザデータを交換するための手段と；
を備えた無線通信用の装置。
【請求項３８】
ユーザ機器（ＵＥ）の第１の設定情報を決定することを少なくとも１つのコンピュータに行わせるためのコードと；
前記第１の設定情報を備えるページングメッセージを前記ＵＥに送信することを前記少なくとも１つのコンピュータに行わせるためのコードと；
前記ページングメッセージで送信された前記第１の設定情報および前記ＵＥに記憶された第２の設定情報に基づいて前記ＵＥとユーザデータを交換することを前記少なくとも１つのコンピュータに行わせるためのコードと；
を備えるコンピュータ可読媒体を備えたコンピュータプログラム製品。
【発明の詳細な説明】
【米国特許法第１１９条に基づく優先権の主張】
【０００１】
本特許出願は、本願の譲受人に譲渡され、参照により本明細書に明示的に組み込まれる、２００６年１２月１８日出願の「ＲＥＣＯＮＦＩＧＵＲＡＴＩＯＮ  ＯＶＥＲ  ＰＡＧＩＮＧ  ＦＯＲ  ＨＳＰＡ」と題する米国特許仮出願第６０／８７０，５８０号に対する優先権を主張する。
【技術分野】
【０００２】
本開示は、一般に通信に関し、より詳細には、無線通信ネットワーク中のユーザ機器（ＵＥ）が動作状態間を遷移するための技法に関する。
【背景技術】
【０００３】
無線通信ネットワーク中のＵＥ（たとえば携帯電話）は、どんなときでも、いくつかの動作状態のうちの１つで動作する。アクティブ状態では、ＵＥは、無線ネットワークによってリソースを割り当てられ、たとえば音声および／またはデータ呼出しのためにデータを無線ネットワークとアクティブに交換する。アイドル状態では、ＵＥは、無線ネットワークによってリソースを割り当てられず、ページングメッセージについてページングチャネルを監視する。アクティブ状態およびアイドル状態は様々なシステムにおいて様々な名称で呼ばれる。ＵＥは、ＵＥのデータ要求に基づいてアクティブ状態とアイドル状態の間を遷移する。たとえば、ＵＥは、送信または受信すべきデータがあるときはいつでもアクティブ状態に遷移し、無線ネットワークとのデータ交換を完了した後、アイドル状態に遷移する。
【０００４】
ＵＥは、動作状態間を遷移するために無線ネットワークとシグナリングを交換する。シグナリングは、ＵＥにリソースを割り当て、無線ネットワークとの通信のためにＵＥが使用すべき様々なパラメータを設定する。シグナリングは、ネットワークリソースを消費し、データ伝送を遅らせる。したがって、当技術分野では、ＵＥが動作状態間を効率的に遷移するための技法が必要とされている。
【発明の概要】
【０００５】
本明細書では、ページングで設定情報を送信することによってＵＥの高速状態遷移をサポートするための技法について説明する。ＵＥは、ＵＥがユーザデータを送信または受信しない第１の状態（たとえばＣＥＬＬ＿ＰＣＨ状態）で動作する。ＵＥは、第１の状態にある間、ページングメッセージについて監視し、第１の設定情報を搬送しているページングメッセージを受信する。ＵＥは、ページングメッセージを受信したことに応答して第１の状態から第２の状態（たとえばＣＥＬＬ＿ＤＣＨ状態）に遷移する。ＵＥは、ページングメッセージから受信された第１の設定情報およびＵＥに記憶された第２の設定情報に基づいて通信パラメータのセットを決定する。次いでＵＥは、第２の状態にある間、通信パラメータのセットに基づいてユーザデータを交換する。これにより、第１および／または第２の設定情報を取得するためにページングメッセージを受信した後でシグナリングを交換する必要がなくなる。
【０００６】
１つの設計では、第１の設定情報は、通信用に使用する物理チャネルパラメータのセットを含むかまたは示す。物理チャネルパラメータのセットは、ＵＥ用の少なくとも１つの無線ネットワーク一時識別子（Radio Network Temporary Identifier）（ＲＮＴＩ）、少なくとも１つの物理チャネル用の少なくとも１つのチャネライゼーションコードおよび／または少なくとも１つの時間オフセット、少なくとも１つのシグナチャシーケンス、スクランブリングコード、および／またはいくつかの他の物理チャネルパラメータを含む。ＵＥは、第１の設定情報によって提供される物理チャネルパラメータのセットに基づいてユーザデータを交換する。
【０００７】
１つの設計では、第２の設定情報は、物理チャネルパラメータのセット、トランスポートチャネルパラメータのセット、無線ベアラパラメータのセット、無線アクセスベアラパラメータのセット、セキュリティパラメータのセット、またはそれらの任意の組合せを含むかまたは示す。ＵＥは、第１の状態に遷移するときに第２の設定情報を記憶する。また、ＵＥは、ページングメッセージで送信する第１の設定情報の量を減らすために一部の通信パラメータに対してデフォルト値を使用する。
【０００８】
本開示の様々な態様および特徴について、以下でさらに詳細に説明する。
【図面の簡単な説明】
【０００９】
【図１】図１は無線通信ネットワークを示す図。
【図２】図２はＵＥの状態図。
【図３】図３はＣＥＬＬ＿ＰＣＨからＣＥＬＬ＿ＤＣＨに遷移する場合のメッセージフローを示す図。
【図４】図４はＣＥＬＬ＿ＰＣＨからＣＥＬＬ＿ＤＣＨに高速に遷移する場合のメッセージフローを示す図。
【図５】図５はＵＥの物理チャネルパラメータを取得するためのメッセージフローを示す図。
【図６】図６は高速状態遷移のためにＵＥによって実行されるプロセスを示す図。
【図７】図７は高速状態遷移をサポートするためにＳＲＮＣによって実行されるプロセスを示す図。
【図８】図８は高速状態遷移をサポートするためにノードＢによって実行されるプロセスを示す図。
【図９】図９はＵＥおよび様々なネットワークエンティティのブロック図。
【発明の詳細な説明】
【００１０】
本明細書で説明する技法は、符号分割多重接続（ＣＤＭＡ）ネットワーク、時分割多重接続（ＴＤＭＡ）ネットワーク、周波数分割多重接続（ＦＤＭＡ）ネットワーク、直交ＦＤＭＡ（ＯＦＤＭＡ）ネットワークなど種々の無線通信ネットワークに対して使用できる。用語「ネットワーク」および「システム」は、しばしば互換的に使用される。ＣＤＭＡネットワークは、ユニバーサル地上無線アクセス（ＵＴＲＡ）、ｃｄｍａ２０００などの無線技術を実装することができる。ＵＴＲＡは広帯域ＣＤＭＡ（Ｗ−ＣＤＭＡ）およびＣＤＭＡの他の変形形態を含む。ｃｄｍａ２０００はＩＳ−２０００、ＩＳ−９５、およびＩＳ−８５６規格をカバーする。ＴＤＭＡネットワークは広域移動体通信システム（ＧＳＭ）などの無線技術を実装することができる。ＯＦＤＭＡネットワークは、Ｅｖｏｌｖｅｄ  ＵＴＲＡ（Ｅ−ＵＴＲＡ）、ウルトラモバイルブロードバンド（ＵＭＢ）、ＩＥＥＥ８０２．１６、ＩＥＥＥ８０２．２０、ＦＬＡＳＨ−ＯＦＤＭ（登録商標）などの無線技術を実装することができる。ＵＴＲＡ、Ｅ−ＵＴＲＡおよびＧＳＭは、ユニバーサル移動体通信システム（ＵＭＴＳ）の一部であり、「第３世代パートナーシッププロジェクト」（３ＧＰＰ）という名称の組織からの文書に記載されている。ｃｄｍａ２０００およびＵＭＢは、「第３世代パートナーシッププロジェクト２」（３ＧＰＰ２）という名称の組織からの文書に記載されている。３ＧＰＰ文書および３ＧＰＰ２文書は公開されている。これらの様々な無線技術および規格は当技術分野で知られている。分かりやすいように、以下では本技法のいくつかの態様をＵＭＴＳに関して説明し、以下の説明の大半でＵＭＴＳの用語を使用する。
【００１１】
図１は、ユニバーサル地上無線アクセスネットワーク（ＵＴＲＡＮ）１２０およびコアネットワーク１６０を含む無線通信ネットワーク（たとえばＵＭＴＳネットワーク）１００を示す。ＵＴＲＡＮ１２０は、任意の数の無線ネットワークコントローラ（ＲＮＣ）に結合された任意の数のノードＢを含む。簡潔にするために、図１には、１つのノードＢ１３０、１つの制御ＲＮＣ／ドリフトＲＮＣ（ＣＲＮＣ／ＤＲＮＣ）１４０、および１つのサービングＲＮＣ（ＳＲＮＣ）１５０のみが示されている。ノードＢは、進化型ノードＢ（ｅＮｏｄｅ  Ｂ）、基地局、アクセスポイントなどとも呼ばれる。各ノードＢは、そのカバレッジエリア内のＵＥの無線通信をサポートする。ノードＢのカバレッジエリア全体は複数の（たとえば３つの）より小さい領域に分割できる。用語「セル」は、この用語が使用される状況に応じて、ノードＢの最小のカバレッジエリア、および／またはこのカバレッジエリアを受け持つノードＢを指す。用語「セル」および「ノードＢ」は、本明細書では互換的に使用される。ＵＭＴＳにおけるセルは、ｃｄｍａ２０００および他のネットワークにおけるセクタに対応する。
【００１２】
各ＲＮＣは、Ｉｕｂインターフェースを介してノードＢのセットに結合し、これらのノードＢに対する調整および制御を行う。たとえば、ＲＮＣは、無線リソース管理、いくつかの移動性管理機能、およびＵＥとＵＴＲＡＮとの間の通信をサポートするための他の機能を実行する。各ＲＮＣは、Ｉｕｒインターフェースを介して１つまたは複数の別のＲＮＣに、およびＩｕインターフェースを介してコアネットワーク１６０に結合する。コアネットワーク１６０は、回線交換（ＣＳ）サービス、パケット交換（ＰＳ）サービス、およびＵＥに対する他のサービスをサポートすることができる様々なネットワークエンティティを含む。
【００１３】
ネットワーク１００は、どんな数のＵＥの通信でもサポートすることができる。簡潔にするために、図１には、１つのＵＥ１１０のみが示されている。ＵＥは、移動局、アクセス端末、加入者ユニット、局などとも呼ばれる。ＵＥは、携帯電話、携帯情報端末（ＰＤＡ）、無線デバイス、無線モデム、ハンドヘルドデバイス、ラップトップコンピュータなどであってよい。ＵＥ１１０は、無線リンクを介してノードＢ１３０と、およびＵｕインターフェースを介してＳＲＮＣ１５０と通信する。ＳＲＮＣ１５０は、ＵＥ１１０を受け持ち、データ交換用のＩｕリンク、ならびにＵＥ１１０とコアネットワーク１６０との間の対応するシグナリングを終了する。ＳＲＮＣ１５０はまた、ＵＥ１１０とＵＴＲＡＮ１２０との間の無線リソース制御（ＲＲＣ）シグナリングを終了し、たとえばアウターループ電力制御、負荷制御、許可制御、ハンドオーバ制御、移動性管理などの管理機能を実行する。ＵＥ１１０は、ＳＲＮＣ１５０と直接通信する（図１には図示せず）か、または（図１に示すように）ＣＲＮＣ／ＤＲＮＣ１４０を介して間接的に通信する。ＣＲＮＣ／ＤＲＮＣ１４０は、ＵＥ１１０が通信を行うノードＢ１３０を制御し、マクロダイバーシティの結合および分割、ＵＥ１１０とＳＲＮＣ１５０との間のデータのルーティングなどの機能を実行する。
【００１４】
ＵＭＴＳでは、データは、レイヤ２（Ｌ２）において１つまたは複数のトランスポートチャネルとして処理される。トランスポートチャネルは、１つまたは複数のサービスに関するデータ、たとえば音声、映像、パケットデータなどを搬送する。トランスポートチャネルは、専用チャネル（ＤＣＨ）、拡張専用チャネル（Ｅ−ＤＣＨ）、高速ダウンリンク共有チャネル（ＨＳ−ＤＳＣＨ）、ブロードキャストチャネル（ＢＣＨ）、順方向アクセスチャネル（ＦＡＣＨ）、ページングチャネル（ＰＣＨ）およびランダムアクセスチャネル（ＲＡＣＨ）を含む。トランスポートチャネルは、物理層（ＰＨＹ）またはレイヤ１（Ｌ１）で物理チャネルにマッピングされる。物理チャネルは、異なるチャネライゼーションコードでチャネル化され、コードドメイン内で互いに直交している。トランスポートチャネルおよび物理チャネルは、「Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ」、Ｍａｙ  ２００７と題された３ＧＰＰ  ＴＳ  ２５．２１１に記載されている。
【００１５】
ＵＥは、ＵＥとＵＴＲＡＮとの間でユーザデータを転送するためのレイヤ２によって提供されるサービスである無線ベアラ（ＲＢ）を介してＵＴＲＡＮと通信する。無線ベアラはＲＲＣ無線ベアラ手続きを通して確立、再設定、および解放する。無線ベアラは、様々なパラメータで設定でき、トランスポートチャネルおよび物理チャネルを利用することができる。トランスポートチャネルおよび物理チャネルは、無線ベアラ手続きを用いて設定することができ、トランスポートチャネルおよび物理チャネルの手続きを用いて別々に設定することもできる。
【００１６】
図２は、ＵＭＴＳにおけるＵＥのＲＲＣ状態の状態図２００を示す。電源投入されると、ＵＥは、セル選択を実行して、ＵＥがサービスを受けることができる適切なセルを見つける。このセルはサービングセルと呼ばれる。その後、ＵＥは、ＵＥに対するアクティビティがあるかどうかに応じてアイドルモード２１０または接続モード２２０に遷移する。アイドルモードでは、ＵＥは、コアネットワークに登録され、ページングメッセージをリッスンし、必要ならばコアネットワークによりそのＵＥのロケーションを更新する。接続モードでは、ＵＥは、そのＲＲＣ状態および設定に応じて、データを送信および受信することが可能または不可能になる。ＵＴＲＡＮは、アイドルモードではＵＥコンテキストを有さず、接続モードではＵＥコンテキストを有する。
【００１７】
ＵＥは、アイドルモードから接続モードに遷移するために、ＲＲＣ接続確立手続きを行う。この手続きから、ＵＥは、
無線ベアラパラメータ、すなわちＵＥ用の無線ベアラのパラメータと、
無線アクセスベアラパラメータ、すなわちＵＥ用の無線アクセスベアラのパラメータと、
トランスポートチャネルパラメータ、すなわちレイヤ２におけるトランスポートチャネル用のパラメータと、
物理チャネルパラメータ、すなわちレイヤ１における物理チャネル用のパラメータと、
セキュリティパラメータ、すなわちＵＥの暗号化および完全性保護用のパラメータと
を取得する。
【００１８】
上記のパラメータは通信パラメータとも呼ばれる。物理チャネルパラメータは、ＰＨＹパラメータ、Ｌ１パラメータなどとも呼ばれる。トランスポートチャネルパラメータは、メディアアクセス制御（ＭＡＣ）パラメータ、Ｌ２パラメータなどとも呼ばれる。無線ベアラパラメータは上位層パラメータなどとも呼ばれる。上記のＲＲＣ接続確立手続きおよび様々な通信パラメータは、「Ｒａｄｉｏ  Ｒｅｓｏｕｒｃｅ  Ｃｏｎｔｒｏｌ  （ＲＲＣ）；  Ｐｒｏｔｏｃｏｌ  Ｓｐｅｃｉｆｉｃａｔｉｏｎ」、Ｓｅｐｔｅｍｂｅｒ  ２００７と題された３ＧＰＰ  ＴＳ  ２５．３３１に記載されている。
【００１９】
接続モードでは、ＵＥは４つのＲＲＣ状態、すなわちＣＥＬＬ＿ＤＣＨ状態２２２、ＣＥＬＬ＿ＦＡＣＨ状態２２４、ＣＥＬＬ＿ＰＣＨ状態２２６、およびＵＲＡ＿ＰＣＨ状態２２８のうちの１つをとることができる。ＣＥＬＬ＿ＤＣＨ状態は、（ｉ）専用物理チャネルがダウンリンクおよびアップリンクに関してＵＥに割り当てられること、および（ｉｉ）専用トランスポートチャネルと共有トランスポートチャネルの組合せがＵＥで利用可能なことによって特徴付けられる。ＣＥＬＬ＿ＦＡＣＨ状態は、（ｉ）ＵＥに割り当てられた専用物理チャネルがないこと、（ｉｉ）デフォルトの共通トランスポートチャネルまたは共有トランスポートチャネルがＵＴＲＡＮにアクセスするのに使用するためにＵＥに割り当てられること、および（ｉｉｉ）ＵＥが再設定メッセージなどのシグナリングについてＦＡＣＨを継続的に監視することによって特徴付けられる。ＣＥＬＬ＿ＰＣＨおよびＵＲＡ＿ＰＣＨ状態は、（ｉ）ＵＥに割り当てられる専用物理チャネルがないこと、（２）ＵＥがページングメッセージについてＰＣＨを定期的に監視すること、および（ｉｉｉ）ＵＥがアップリンク上で送信することを許可されないことによって特徴付けられる。ＵＥのロケーションは、ＣＥＬＬ＿ＰＣＨ状態ではセルレベルで知られ、ＵＲＡ＿ＰＣＨ状態ではユーザ登録領域（ＵＲＡ）レベルで知られる。ＵＲＡはセルのセットを含む。ＵＥは、ＣＥＬＬ＿ＰＣＨ状態では特定のセルを介して、およびＵＲＡ＿ＰＣＨ状態では特定のＵＲＡ中のすべてのセルを介してページングできる。ＲＲＣのモードおよび状態は上述の３ＧＰＰ  ＴＳ  ２５．３３１に記載されている。
【００２０】
ＵＥは、（ｉ）ＲＲＣ接続確立手続きを行うことによってアイドルモードからＣＥＬＬ＿ＤＣＨまたはＣＥＬＬ＿ＦＡＣＨ状態に、および（ｉｉ）ＲＲＣ接続解放手続きを行うことによってＣＥＬＬ＿ＤＣＨまたはＣＥＬＬ＿ＦＡＣＨ状態からアイドルモードに遷移する。接続モードにある間、ＵＴＲＡＮは、ＵＥのアクティビティに基づいて４つのＲＲＣ状態のうちの１つをとるようにＵＥに指令する。ＵＥは、（ｉ）再設定手続きを行うことによってＣＥＬＬ＿ＤＣＨ状態とＣＥＬＬ＿ＦＡＣＨ状態との間を遷移し、（ｉｉ）同様に再設定手続きを行うことによってＣＥＬＬ＿ＤＣＨ状態における様々な設定の間を遷移する。ＵＥは、再設定手続きを行うことによってＣＥＬＬ＿ＤＣＨ状態からＣＥＬＬ＿ＰＣＨまたはＵＲＡ＿ＰＣＨ状態に遷移する。ＵＥは、再設定手続きを行うことによってＣＥＬＬ＿ＦＡＣＨ状態からＣＥＬＬ＿ＰＣＨまたはＵＲＡ＿ＰＣＨ状態に遷移する。ＵＥは、ページングメッセージを受信するとＣＥＬＬ＿ＰＣＨまたはＵＲＡ＿ＰＣＨ状態からＣＥＬＬ＿ＦＡＣＨ状態に自律的に遷移する。これらの様々な手続きは上述の３ＧＰＰ  ＴＳ  ２５．３３１に記載されている。
【００２１】
ＵＥおよびＳＲＮＣはＵｕインターフェースを介してＲＲＣメッセージを交換する。ＳＲＮＣおよびＣＲＮＣ／ＤＲＮＣはＩｕｒインターフェースを介して無線ネットワークサブシステムアプリケーション部分（Radio Network Subsystem Application Part）（ＲＮＳＡＰ）メッセージを交換する。ＣＲＮＣ／ＤＲＮＣおよびノードＢはＩｕｂインターフェースを介してノードＢアプリケーション部分（ＮＢＡＰ）メッセージを交換する。ＵｕインターフェースならびにＲＲＣのメッセージおよび手続きは上述の３ＧＰＰ  ＴＳ  ２５．３３１に記載されている。ＩｕｒインターフェースならびにＲＮＳＡＰのメッセージおよび手続きは、「ＵＴＲＡＮ  Ｉｕｒ  ｉｎｔｅｒｆａｃｅ  ＲＮＳＡＰ  ｓｉｇｎａｌｉｎｇ」、Ｓｅｐｔｅｍｂｅｒ  ２００７と題された３ＧＰＰ  ＴＳ  ２５．４２３に記載されている。ＩｕｂインターフェースならびにＮＢＡＰのメッセージおよび手続きは、「ＵＴＲＡＮ  Ｉｕｂ  ｉｎｔｅｒｆａｃｅ  Ｎｏｄｅ  Ｂ  Ａｐｐｌｉｃａｔｉｏｎ  Ｐａｒｔ  （ＮＢＡＰ）  ｓｉｇｎａｌｉｎｇ」、Ｓｅｐｔｅｍｂｅｒ  ２００７と題された３ＧＰＰ  ＴＳ  ２５．４３３に記載されている。
【００２２】
図３は、ＣＥＬＬ＿ＰＣＨ状態からＣＥＬＬ＿ＤＣＨ状態に通常の遷移をする場合のネットワーク主導型手続きのためのメッセージフロー３００を示す。ＵＥは、ＣＥＬＬ＿ＰＣＨ状態で動作し、ページングメッセージについてＰＣＨを定期的に監視する。ＵＴＲＡＮは、ＳＲＮＣからノードＢを介してＵＥにページングタイプ１メッセージを送信することによってＵＥをページングする（ステップ１）。ＵＥは、ページングタイプ１メッセージを受信するとＣＥＬＬ＿ＰＣＨ状態からＣＥＬＬ＿ＦＡＣＨ状態に自律的に遷移する（ステップ２）。次いでＵＥは、ノードＢにＲＡＣＨ上でセル更新メッセージを送信し、このノードＢは、ＳＲＮＣにそのメッセージを転送する（ステップ３）。セル更新メッセージは、ネットワークがＵＥを識別できるように、ＵＴＲＡＮ  ＲＮＴＩ（Ｕ−ＲＮＴＩ）を含む。次いでＳＲＮＣは、ＣＲＮＣ／ＤＲＮＣによるＵＥへの無線リンクの確立を要求するために、ＣＲＮＣ／ＤＲＮＣに無線リンク確立要求メッセージを送信する（ステップ４）。ＣＲＮＣ／ＤＲＮＣは、ノードＢによるＵＥへの無線リンクの確立を要求するために、ノードＢに無線リンク確立要求メッセージを送信する（ステップ５）。ノードＢは、ＣＲＮＣ／ＤＲＮＣから受信されたメッセージ中に与えられているパラメータに従ってＵＥにリソースを割り当て、新規の無線リンクを設定し、ＣＲＮＣ／ＤＲＮＣに無線リンク確立応答メッセージを返信する（ステップ６）。ＣＲＮＣ／ＤＲＮＣは、ＵＥの関連するパラメータを有する無線リンク確立応答メッセージをＳＲＮＣに返信する（ステップ７）。
【００２３】
次いでＳＮＲＣは、ノードＢにセル更新確認メッセージを送信し、このノードＢは、ＵＥにＦＡＣＨ上でそのメッセージを転送する（ステップ８）。このメッセージは、どんな無線ベアラ再設定手続きにも使用できる再設定パラメータを含むことができる。ノードＢは、ＣＲＮＣ／ＤＲＮＣに無線リンク回復指示メッセージを送信し、次いでこのＣＲＮＣ／ＤＲＮＣは、ＳＲＮＣに無線リンク回復指示メッセージを送信する（ステップ９）。
【００２４】
ＵＥは、セル更新確認メッセージを受信するとＣＥＬＬ＿ＦＡＣＨ状態からＣＥＬＬ＿ＤＣＨ状態に遷移する（ステップ１０）。ＵＥは、アップリンク同期を行い、Ｅ−ＤＣＨ上で物理チャネル再設定完了メッセージをノードＢに送信し、このノードＢは、そのメッセージをＳＲＮＣに転送する（ステップ１１）。その後、ＵＥは、確立された無線リンクを介してユーザデータを交換する（たとえば送信および／または受信する）。
【００２５】
メッセージフロー３００において、ＵＥは、まずＣＥＬＬ＿ＰＣＨ状態からＣＥＬＬ＿ＦＡＣＨ状態に遷移し、次いでＣＥＬＬ＿ＦＡＣＨ状態からＣＥＬＬ＿ＤＣＨ状態に遷移する。ＣＥＬＬ＿ＦＡＣＨ状態では、メッセージは、ＵＥによってＲＡＣＨ上で送信され、ＦＡＣＨ上でＵＥに送信される。ＲＡＣＨおよびＦＡＣＨは、異なるＵＥによって共有される共通のトランスポートチャネルである。ＵＥが接続モードであるときは、状態遷移遅延を減少させることが望ましい。これにより、特に不連続的なデータ交換、および厳しい待ち時間要件、たとえばウェブブラウジング、プッシュツートークなどによって特徴付けられる用途のために、無線リソースの利用を改善し、ＵＥのバッテリ寿命を延ばすことができる。
【００２６】
一態様では、ＣＥＬＬ＿ＰＣＨ状態からＣＥＬＬ＿ＤＣＨ状態への高速状態遷移は、ページングメッセージ中に再設定機能を組み込むことによって達成できる。これは、ＵＥが、ページングメッセージを受信した後、ＣＥＬＬ＿ＰＣＨ状態からＣＥＬＬ＿ＤＣＨ状態に直接遷移することを可能にすることができる。高速状態遷移は、待ち時間だけでなくオーバヘッドも低減することができる。
【００２７】
図４は、ＣＥＬＬ＿ＰＣＨ状態からＣＥＬＬ＿ＤＣＨ状態に高速に状態遷移する場合のネットワーク主導型手続きのためのメッセージフロー４００の設計を示す。ＵＥは、ＣＥＬＬ＿ＰＣＨ状態で動作し、ページングメッセージについてＰＣＨを定期的に監視する。ＵＴＲＡＮは、ＵＥをページングすることを望み、最初に関連ネットワークベアラ、たとえばＩｕｂおよびＩｕｒを確立する。ＳＲＮＣは、ＣＲＮＣ／ＤＲＮＣによるＵＥへの無線リンクの確立を要求するために、ＣＲＮＣ／ＤＲＮＣに無線リンク確立要求メッセージを送信する（ステップ１）。次いでＣＲＮＣ／ＤＲＮＣは、ノードＢによるＵＥへの無線リンクの確立を要求するために、ノードＢに無線リンク確立要求メッセージを送信する（ステップ２）。ノードＢは、ＵＥに対してリソースを割り当て、新規の無線リンクを設定し、ＣＲＮＣ／ＤＲＮＣに無線リンク確立応答メッセージを返信する（ステップ３）。ＣＲＮＣ／ＤＲＮＣは、関連パラメータを有する無線リンク確立応答メッセージをＳＲＮＣに返信する（ステップ４）。
【００２８】
次いでＳＲＮＣは、ページングメッセージ内の物理チャネル再設定メッセージをＵＥに送信する（ステップ５）。物理チャネル再設定メッセージは、後述するような様々な物理チャネルパラメータを含む。ノードＢは、ＣＲＮＣ／ＤＲＮＣに無線リンク回復指示メッセージを送信し、次いでこのＣＲＮＣ／ＤＲＮＣは、ＳＲＮＣに無線リンク回復指示メッセージを送信する（ステップ６）。
【００２９】
ＵＥは、物理チャネル再設定メッセージを受信するとＣＥＬＬ＿ＰＣＨ状態からＣＥＬＬ＿ＤＣＨ状態に直接遷移する（ステップ７）。ＵＥは、アップリンク同期を行い、次いでノードＢにＥ−ＤＣＨ上で物理チャネル再設定完了メッセージを送信し、このノードＢは、ＳＲＮＣにそのメッセージを転送する（ステップ８）。その後、ＵＥは、確立された無線リンクを介してユーザデータを交換する。
【００３０】
図４に示される設計では、ページングで再設定を行うことによって高速状態遷移が達成される。一般に、パラメータのどんなセットもページングで再設定できる。１つの設計では、物理チャネルパラメータのセットのみをページングで再設定し、これによりパラメータを送信する際のオーバヘッドを低減することができる。この設計では、ＵＥは、ＣＥＬＬ＿ＰＣＨ状態に遷移すると無線ベアラパラメータおよびトランスポートチャネルパラメータを記憶する。その場合、これらの記憶されたパラメータの確立／再設定を回避する。オーバヘッドをさらに低減するために、いくつかのＵＥ固有の物理チャネルパラメータのみをページングで送信し、残りの物理チャネルパラメータにはデフォルト値を使用する。一般に、物理チャネルパラメータのすべてまたはサブセットをページングによってＵＥに明示的に送信する。
【００３１】
本明細書で説明する技法は物理チャネルへのＰＣＨのいかなるマッピングにも使用できる。たとえば、ＰＣＨをセカンダリ共通制御物理チャネル（Ｓ−ＣＣＰＣＨ）上で送信し、このＳ−ＣＣＰＣＨはすべてのＵＥにブロードキャストされる。ＰＣＨは高速物理ダウンリンク共有チャネル（ＨＳ−ＰＤＳＣＨ）上で送信でき、このＨＳ−ＰＤＳＣＨは特定のＵＥに送信する。
【００３２】
本明細書で説明する技法は、物理チャネルの任意のセットについて設定情報を送信するために使用することもできる。分かりやすいように、高速パケットアクセス（ＨＳＰＡ）と総称される高速ダウンリンクパケットアクセス（ＨＳＤＰＡ）および高速アップリンクパケットアクセス（ＨＳＵＰＡ）用に使用される物理チャネルについて設定情報が送信される。ＨＳＤＰＡおよびＨＳＵＰＡは、それぞれダウンリンクおよびアップリンク上での高速パケットデータ伝送を可能にするチャネルおよび手続きのセットである。表１は、ＵＭＴＳにおける一部の物理チャネルの一覧を示し、ＨＳＤＰＡおよびＨＳＵＰＡ用に使用されるいくつかの物理チャネルも含む。これらの物理チャネルは上述の３ＧＰＰ  ＴＳ  ２５．２１１に記載されている。
【表１】
2010514376.tif 000003
【００３３】
ＨＳＤＰＡの場合、ＵＥはＨＳ−ＳＣＣＨ動作またはＨＳ−ＳＣＣＨなし動作のいずれかに設定できる。ＨＳ−ＳＣＣＨ動作の場合、シグナリングは、ＨＳ−ＰＤＳＣＨ上でのパケット伝送の前にＨＳ−ＳＣＣＨ上で送信される。ＵＥは、シグナリングを検出するために最高４つまでＨＳ−ＳＣＣＨ用の１２８チップチャネライゼーションコードを監視する。ＵＥは、データを受信するために最高１５個までＨＳ−ＰＤＳＣＨ用の１６チップチャネライゼーションコードを処理する。ＨＳ−ＳＣＣＨなし動作の場合、シグナリングはＨＳ−ＳＣＣＨ上で送信されず、ＵＥは、予め設定されたパラメータに基づいてＨＳ−ＰＤＳＣＨを処理する。デフォルトのＨＳＤＰＡ設定をＵＥに対して使用する。このデフォルトの設定は、ＨＳ−ＳＣＣＨ用のＬ個のチャネライゼーションコード、およびＨＳ−ＰＤＳＣＨ用のＭ個のチャネライゼーションコードを含むことができる（ただし、１≦Ｌ≦４、および１≦Ｍ≦１５）。
【００３４】
ページングでの物理チャネル再設定をサポートするために、様々な物理チャネルパラメータをページングメッセージで送信する。１つの設計では、ページングメッセージは、表２に与えられた物理チャネルパラメータのうちの１つまたは複数を搬送する。
【表２】
2010514376.tif 000004
【００３５】
ＨＳ−ＳＣＣＨコード情報は、４つ未満のＨＳ−ＳＣＣＨコードおよび１つのＨＳ−ＰＤＳＣＨコードを有するデフォルトのＨＳＤＰＡ設定用であってよい。これにより、ＨＳ−ＳＣＣＨコード情報について送信するビット数を低減することができる。
【００３６】
表２は、ページングメッセージで送信できる物理チャネルパラメータの例示的なセットを与えている。他の物理チャネルパラメータもページングメッセージで送信する。物理チャネルパラメータは物理チャネル再設定メッセージ中の情報要素（ＩＥ）として送信でき、この物理チャネル再設定メッセージはページングメッセージで搬送できる。物理チャネルパラメータごとに異なるＩＥを使用する。
【００３７】
一般に、ＵＥの物理チャネルパラメータは、１つまたは複数のネットワークエンティティが提供することができる。ＳＲＮＣは、適切なネットワークエンティティからＵＥの物理チャネルパラメータのすべてを取得することができ、次いでこれらのパラメータをＵＥにページングメッセージで送信することができる。
【００３８】
Ｈ−ＲＮＴＩは、ＣＲＮＣ／ＤＲＮＣがＵＥに割り当てる。ＣＲＮＣ／ＤＲＮＣは、Ｈ−ＲＮＴＩを、無線リンク確立要求メッセージを介してノードＢに、また無線リンク確立応答メッセージを介してＳＲＮＣに送信する。
【００３９】
プライマリＥ−ＲＮＴＩは、ノードＢがＵＥに割り当て、無線リンク確立応答メッセージを介してＣＲＮＣ／ＤＲＮＣに報告する。ＣＲＮＣ／ＤＲＮＣは、無線リンク確立応答メッセージを介してＳＲＮＣにプライマリＥ−ＲＮＴＩを転送する。
【００４０】
Ｃ−ＲＮＴＩは、ＣＲＮＣ／ＤＲＮＣがセル更新手続きを介してＵＥに割り当て、このセル更新手続きは、ＵＥが移動性に起因してセルを変更するときはいつでも実施される。ＣＲＮＣ／ＤＲＮＣは、セル更新手続きが実施されるときはいつでもアップリンクシグナリング転送指示メッセージを介してＳＲＮＣにＣ−ＲＮＴＩを報告する。
【００４１】
ＵＥのＨＳ−ＳＣＣＨコード情報はノードＢが提供する。ＣＲＮＣ／ＤＲＮＣは、ＨＳ−ＤＳＣＨ動作のために使用されるＨＳ−ＳＣＣＨコードのセットを用いてノードＢを設定し、物理共有チャネル再設定要求メッセージを介してこのＨＳ−ＳＣＣＨコードセットを送信する。ＨＳ−ＳＣＣＨ動作の場合、ノードＢは最高４つのＨＳ−ＳＣＣＨコードをＵＥに割り当てる。ノードＢは、この割り当てられた（１つまたは複数の）ＨＳ−ＳＣＣＨコードを、無線リンク確立応答メッセージを介してＣＲＮＣ／ＤＲＮＣに報告する。ＣＲＮＣ／ＤＲＮＣは、無線リンク確立応答メッセージを介してＳＲＮＣにこの情報を転送する。
【００４２】
ＵＥのＦ−ＤＰＣＨ情報はＳＲＮＣおよびＣＲＮＣ／ＤＲＮＣが提供する。ＳＲＮＣは、ノードＢにおけるＦ−ＤＰＣＨオフセットおよび電力設定を設定し、無線リンク確立要求メッセージを介してＣＲＮＣ／ＤＲＮＣにこれらのパラメータを送信する。ＣＲＮＣ／ＤＲＮＣは、Ｆ−ＤＰＣＨにチャネライゼーションコードを割り当てることができ、ＵＥ用のＦ−ＤＰＣＨ設定（たとえばフレームオフセット、チャネライゼーションコード、および送信電力）を用いてノードＢを設定する。ＣＲＮＣ／ＤＲＮＣは無線リンク応答メッセージを介してＳＲＮＣにＦ−ＤＰＣＨコードを報告する。
【００４３】
ＵＥのＥ−ＨＩＣＨ情報はノードＢが提供する。ノードＢは、ＵＥにＥ−ＨＩＣＨコードおよびシグナチャシーケンスを割り当て、無線リンク確立応答メッセージを介してＤＲＮＣ／ＣＲＮＣにこれらのパラメータを報告する。ＣＲＮＣ／ＤＲＮＣは無線リンク確立応答メッセージを介してＳＲＮＣにこの情報を転送する。
【００４４】
ＵＥのグラント情報はノードＢが提供する。ノードＢは、ＵＥにＥ−ＡＧＣＨコードおよびＥ−ＲＧＣＨシグナチャシーケンスを割り当て、無線リンク確立応答メッセージを介してＣＲＮＣ／ＤＲＮＣにこれらのパラメータを報告する。ＣＲＮＣ／ＤＲＮＣは、無線リンク確立応答メッセージを介してＳＲＮＣにこの情報を転送する。
【００４５】
図５は、ページングで再設定する場合のＵＥの物理チャネルパラメータを取得するためのメッセージフロー５００の設計を示す。メッセージフロー５００は、図４中のメッセージフロー４００のステップ１から５を含むが、ＵＥの物理チャネルパラメータの収集に焦点を合わせている。
【００４６】
ＵＴＲＡＮは、ＵＥをページングすることを望み、最初にＵＥに関連する物理チャネルパラメータを決定する。ＳＲＮＣは、Ｆ−ＤＰＣＨオフセットを設定し、そのＦ−ＤＰＣＨオフセットをＣＲＮＣ／ＤＲＮＣに無線リンク確立要求メッセージで送信する（ステップ１）。ＣＲＮＣ／ＤＲＮＣは、ＵＥにＨ−ＲＮＴＩを割り当て、無線リンク確立要求メッセージを介してノードＢにＨ−ＲＮＴＩおよびＦ−ＤＰＣＨオフセットを送信する（ステップ２）。ノードＢは、プライマリＥ−ＲＮＴＩ、（１つまたは複数の）ＨＳ−ＳＣＣＨコード、Ｆ−ＤＰＣＨコード、Ｅ−ＨＩＣＨコードおよびシグナチャシーケンス、ならびに（スケジューリングされる設定用の）Ｅ−ＡＧＣＨコードおよびＥ−ＲＧＣＨシグナチャシーケンスをＵＥに割り当てる。次いでノードＢは、これらのパラメータをＣＲＮＣ／ＤＲＮＣに無線リンク確立応答メッセージで送信する（ステップ３）。次いでＣＲＮＣ／ＤＲＮＣは、このＣＲＮＣ／ＤＲＮＣによって割り当てられたＨ−ＲＮＴＩ、ならびにノードＢによって割り当てられたプライマリＥ−ＲＮＴＩ、（１つまたは複数の）ＨＳ−ＳＣＣＨコード、Ｆ−ＤＰＣＨコード、Ｅ−ＨＩＣＨコードおよびシグナチャシーケンス、ならびにＥ−ＡＧＣＨコードおよびＥ−ＲＧＣＨシグナチャシーケンスを、ＳＲＮＣに無線リンク確立応答メッセージで送信する（ステップ４）。次いでＳＲＮＣは、物理チャネルパラメータのすべてを物理チャネル再設定メッセージで送信し、この物理チャネル再設定メッセージは、ＵＥに送信されるページングメッセージで搬送される（ステップ５）。前述の、図５に示した設計では、ＵＥの物理チャネルパラメータは、一部はＳＲＮＣによって、一部はＣＲＮＣ／ＤＲＮＣによって、および一部はノードＢによって割り当てられる。したがって、ＳＲＮＣは、最初にＩｕｂ／Ｉｕｒベアラを確立し、ＵＥのこれらの物理チャネルパラメータを収集する。図５は、ＵＭＴＳの特定のメッセージを使用してＵＥの物理チャネルパラメータを収集するための特定の設計を示す。物理チャネルパラメータは、他の方法によって、たとえば異なるメッセージを使用して異なるネットワークエンティティから収集するなどによって収集することもできる。
【００４７】
上記のように、物理チャネルパラメータの小さいセットのみを、ページングメッセージを介して物理チャネル再設定メッセージでＵＥに送信する。オーバヘッドを低減するために、残りの物理チャネルパラメータにはデフォルト値を使用する。デフォルト値は様々な方法で定義できる。
【００４８】
１つの設計では、ＵＥは、ＣＥＬＬ＿ＤＣＨ状態にあるＵＥによって以前に使用された、いくつかの物理チャネルパラメータを記憶する。たとえば、ＵＥがＣＥＬＬ＿ＤＣＨ状態に入るとき、アップリンクスクランブリングコードをＵＥに割り当てる。ＵＥは、通常実施されるようにＣＥＬＬ＿ＤＣＨ状態を脱するときこのアップリンクスクランブリングコードを破棄する代わりに、ＣＥＬＬ＿ＰＣＨ状態に遷移した直後にこのアップリンクスクランブリングコードを記憶する。その後、ＵＥは、ＣＥＬＬ＿ＰＣＨ状態からＣＥＬＬ＿ＤＣＨ状態への高速状態遷移を行うとき、この記憶されたアップリンクスクランブリングコードを再利用する。アップリンクスクランブリングコードを保持および再利用することにより、新規のアップリンクスクランブリングコードのシグナリングを回避する。一般に、ＵＥは、ＵＥによる後の使用のためにいかなる物理チャネルパラメータも記憶する。
【００４９】
別の設計では、１つまたは複数の事前定義設定を使用できるようにしてもよい。各事前定義設定に、物理チャネルパラメータのセットに対する特定の値を関連付けることができる。使用可能な事前定義設定は、（ｉ）すべてのＵＥにブロードキャストできるシステム情報を介して、（ｉｉ）ＵＥに送信される専用シグナリングを介して、および／または（ｉｉｉ）他の何らかの手段を介して、ＵＥに与える。次いでページングメッセージは、事前定義設定のうちの１つのポインタまたはインデックスを含む。すべてのノードＢ、または（たとえばＵＲＡ中の）ノードＢのグループが、事前定義設定の同じセットを使用する。あるいは、各ノードＢには、当該ノードＢのみに適用可能な事前定義設定のセットを関連付けてもよい。
【００５０】
デフォルト値は他の方法で与えることもできる。デフォルト値は上記の設計の組合せに基づいて与えることもできる。たとえば、いくつかの物理チャネルパラメータ（たとえばＣＲＮＣ／ＤＲＮＣおよび／またはＳＲＮＣによって割り当てられた物理チャネルパラメータ）に対して、ＣＥＬＬ＿ＤＣＨ状態のＵＥによって以前に使用されたデフォルト値を関連付けることができ、他の物理チャネルパラメータ（たとえばノードＢによって割り当てられた物理チャネルパラメータ）は、事前定義設定を介して定めることができる。
【００５１】
本明細書で説明する技法はＣＥＬＬ＿ＰＣＨ状態からＣＥＬＬ＿ＤＣＨ状態への高速状態遷移に使用される。ＣＥＬＬ＿ＰＣＨ状態では、ＵＥのロケーションはセルレベルで知られる。ＳＲＮＣは、たとえば図５で前述したように、ＵＥが現在登録されているセルのノードＢのみに対してＩｕｂ／Ｉｕｒベアラを確立する。
【００５２】
本技法はＵＲＡ＿ＰＣＨ状態からＣＥＬＬ＿ＤＣＨ状態への高速状態遷移にも使用される。ＵＲＡ＿ＰＣＨ状態では、ＵＥのロケーションはＵＲＡレベルで知られる。ＵＥをページングするために、ＳＲＮＣは、ＵＥが現在登録されているＵＲＡ中のすべてのノードＢに対してＩｕｂ／Ｉｕｒベアラを確立する。高速状態遷移をサポートするために、ＵＲＡ中のすべてのノードＢに適用可能な１つまたは複数の事前定義設定を定義する。次いで１つの事前定義設定を、ＵＲＡ＿ＰＣＨからＣＥＬＬ＿ＤＣＨへのＵＥの高速状態遷移のために使用する。ＲＮＣは、対応するＩｕｂ／Ｉｕｒベアラを存続させながら、いくつかの数のＵＥのためにＨＳＰＡ用のノードＢにおけるリソースを事前予約または確保する。ＲＮＣは、事前予約されたリソースのうちの１つを使用してＵＥの高速再設定を行う。
【００５３】
上記のように、高速状態遷移のためにＵＥに様々な物理チャネルパラメータを送信する。表３は、物理チャネル再設定メッセージで送信できる一部の物理チャネルパラメータの一覧を示す。「カテゴリ」欄は、パラメータがセル固有なのかＵＲＡに共通なのかを示す。「ページで送信」欄は、１つの設計によるページングメッセージで送信できる物理チャネルパラメータを特定する。この設計では、（ｉ）ＵＴＲＡＮ単一ＵＥ識別情報（Ｕ−ＲＮＴＩ）がページングタイプ１部分で使用される、（ｉｉ）ＨＳＰＡ設定のみが使用されしたがってＦ−ＤＰＣＨのみがダウンリンクに設定される、（ｉｉｉ）ＨＳＰＡサービング無線リンクのみが確立される、（ｉｖ）周波数リダイレクションを行わない、（ｖ）再設定手続きは、「現在」のアクティブ化時刻を用いて行われる、（ｖｉ）ページングメッセージに暗号化および完全性保護を適用しないものと仮定する。完全性保護および暗号化は、たとえばページングメッセージがＵＥ宛であることをＵＥに知らせるメッセージ認証コードを使用することによって適用される。これにより、ページングメッセージで３２ビットＵ−ＲＮＴＩを送信する必要を回避することができる。
【表３】
2010514376.tif 000005
【００５４】
表４は、アップリンクＤＰＣＨ情報について送信できる一部のパラメータの一覧を示す。最後の欄は、所与のパラメータがページングメッセージで送信できるかどうか、またはそのパラメータにデフォルト値が使用できるかどうかを示す。
【表４】
2010514376.tif 000006
【００５５】
表５は、Ｅ−ＤＣＨ情報について送信できる一部のパラメータの一覧を示す。
【表５】
2010514376.tif 000007
【００５６】
表６は、ダウンリンクＨＳ−ＰＤＳＣＨ情報について送信できる一部のパラメータの一覧を示す。
【表６】
2010514376.tif 000008
【００５７】
表７は、すべての無線リンク（ＲＬ）に共通のダウンリンク情報について送信できる一部のパラメータの一覧を示す。
【表７】
2010514376.tif 000009
【００５８】
表８は、すべての無線リンクに共通のダウンリンクＦ―ＤＰＣＨ情報について送信できる一部のパラメータの一覧を示す。
【表８】
2010514376.tif 000010
【００５９】
表９は、各無線リンクのダウンリンク情報について送信できる一部のパラメータの一覧を示す。
【表９】
2010514376.tif 000011
【００６０】
図６は、高速状態遷移のためにＵＥによって実行されるプロセス６００の設計を示す。ＵＥは、ユーザデータがＵＥによって送信または受信されない第１の状態（たとえばＣＥＬＬ＿ＰＣＨまたはＵＲＡ＿ＰＣＨ状態）で動作することができる（ブロック６１２）。ＵＥは、第１の状態にある間、（たとえば不連続受信（ＤＲＸ）を用いて）ページングメッセージを監視する（ブロック６１４）。ＵＥは、ＵＥの第１の設定情報を備えるページングメッセージを受信する（ブロック６１６）。ＵＥは、ページングメッセージを受信したことに応答して第１の状態から第２の状態（たとえばＣＥＬＬ＿ＤＣＨ状態）に遷移する（ブロック６１８）。ＵＥは、共有トランスポートチャネル（たとえばＲＡＣＨ）の代わりに専用トランスポートチャネル（たとえばＥ−ＤＣＨ）上でページングメッセージに対する応答を送信する。
【００６１】
ＵＥは、ページングメッセージから受信された第１の設定情報およびＵＥに記憶された第２の設定情報に基づいて通信パラメータのセットを決定する（ブロック６２０）。第１の設定情報は物理チャネルパラメータのセットを含む。代替として、第１の設定情報は、この物理チャネルパラメータのセットに関連付けられた事前定義設定の識別子またはインデックスを含む。この場合、ＵＥは、セルからまたは他の何らかの手段を介して受信されたシステム情報から物理チャネルパラメータのセットを取得する。いずれの場合にも、第１の設定情報から取得される物理チャネルパラメータのセットは、ＵＥ用の少なくとも１つのＲＮＴＩ、少なくとも１つの物理チャネル用の少なくとも１つのチャネライゼーションコード、少なくとも１つの物理チャネル用の少なくとも１つの時間オフセット、少なくとも１つのシグナチャシーケンス、スクランブリングコード、いくつかの他の物理チャネルパラメータ、またはそれらの組合せを含む。ＵＥはまた、ＵＥに記憶された第２の設定情報から、物理チャネルパラメータのセット、トランスポートチャネルパラメータのセット、無線ベアラパラメータのセット、無線アクセスベアラパラメータのセット、セキュリティパラメータのセット、またはそれらの任意の組合せを取得する。ＵＥは、通信パラメータのセットに基づいてユーザデータを交換する（ブロック６２２）。
【００６２】
ＵＥは、第１の状態に遷移するときに第２の設定情報を記憶する。ＵＥはまた、ページングメッセージで送信する第１の設定情報の量を減らすために、一部のパラメータに対してデフォルト値を使用する。
【００６３】
ＵＭＴＳの場合、ＵＥはＰＣＨ上でページングメッセージを受信し、そのＰＣＨは、Ｓ−ＣＣＰＣＨまたはＨＳ−ＰＤＳＣＨを介して送信できる。ＵＥは、第１の設定情報を搬送している物理チャネル再設定メッセージを、ページングメッセージから受信する。
【００６４】
図７は、ＵＥによる高速状態遷移をサポートするためにＳＲＮＣ（または等価なネットワークエンティティ）によって実行されるプロセス７００の設計を示す。ＳＲＮＣは、ユーザデータがＵＥによって送信または受信されない第１の状態（たとえばＣＥＬＬ＿ＰＣＨまたはＵＲＡ＿ＰＣＨ状態）で動作しているＵＥにページングメッセージを送信する（ブロック７１２）。ＳＲＮＣは、ＵＥをページングすることを望み、ＵＥの第１の設定情報を決定する（ブロック７１４）。ＳＲＮＣは、第１の設定情報を備えるページングメッセージをＵＥに送信する（ブロック７１６）。このページングメッセージによって、ＵＥを第１の状態から第２の状態（たとえばＣＥＬＬ＿ＤＣＨ状態）に遷移させる。ＳＲＮＣは、ＵＥに送信された第１の設定情報およびＵＥに記憶された第２の設定情報に基づいてＵＥとユーザデータを交換する（ブロック７１８）。
【００６５】
ブロック７１４では、ＳＲＮＣは、ノードＢからＵＥの物理チャネルパラメータのセットを取得し、および／またはＣＲＮＣ／ＤＲＮＣからＵＥの少なくとも１つの物理チャネルパラメータを取得する。次いでＳＲＮＣは、ノードＢからの物理チャネルパラメータのセットおよび／またはＣＲＮＣ／ＤＲＮＣからの少なくとも１つの物理チャネルパラメータを、ＵＥに送信される第１の設定情報中に提供する。ＵＥは、ノードＢからの物理チャネルパラメータのセットおよび／またはＣＲＮＣ／ＤＲＮＣからの少なくとも１つの物理チャネルパラメータに基づいてユーザデータを交換する。
【００６６】
図８は、ＵＥによる高速状態遷移をサポートするためにノードＢによって実行されるプロセス８００の設計を示す。ノードＢは、ユーザデータがＵＥによって送信または受信されない第１の状態（たとえばＣＥＬＬ＿ＰＣＨまたはＵＲＡ＿ＰＣＨ状態）で動作しているＵＥに対する無線リンク確立要求をＲＮＣから受信する（ブロック８１２）。ＲＮＣは、ＣＲＮＣ／ＤＲＮＣ、ＳＲＮＣ、または等価なネットワークエンティティであってよい。ノードＢは、無線リンク確立要求に応答して物理チャネルパラメータのセットをＵＥに割り当てる（ブロック８１４）。ノードＢは、物理チャネルパラメータのセットに対する第１の設定情報をＲＮＣに送信する（ブロック８１６）。その後、ノードＢは、ＵＥが第２の状態（たとえばＣＥＬＬ＿ＤＣＨ状態）にある間、ＵＥに割り当てられた物理チャネルパラメータのセットおよびＵＥに記憶された第２の設定情報に基づいてＵＥとユーザデータを交換する（ブロック８１８）。ＵＥは、第１の設定情報を備えるページングメッセージに応答して第１の状態から第２の状態に遷移する。
【００６７】
図９は、図１におけるＵＥ１１０、ノードＢ１３０、ＣＲＮＣ／ＤＲＮＣ１４０、およびＳＲＮＣ１５０の設計のブロック図を示す。ＵＥ１１０において、ＵＥによって送信されるべきユーザデータおよびシグナリングを、符号器９１２が処理し（たとえばエンコードおよびインタリーブする）、さらに変調器（Ｍｏｄ）９１４が処理して（たとえば変調、チャネル化、およびスクランブルして）出力チップを生成する。送信機（ＴＭＴＲ）９２２は、出力チップを調整し（たとえばアナログ変換、フィルタリング、増幅、および周波数アップコンバートし）、アンテナ９２４を介して送信可能なアップリンク信号を生成する。受信経路では、ノードＢ１３０によって送信されたダウンリンク信号をアンテナ９２４が受信する。受信機（ＲＣＶＲ）９２６は、アンテナ９２４からの受信信号を調整し（たとえばフィルタリング、増幅、周波数ダウンコンバート、およびデジタル化し）、サンプルを供給する。サンプルを、復調器（Ｄｅｍｏｄ）９１６が処理し（たとえば逆スクランブル、チャネル化、および復調し）、さらに復号器９１８が処理して（たとえばデインタリーブおよび復号して）復号データおよびシグナリングを取得する。符号器９１２、変調器９１４、復調器９１６および復号器９１８はモデムプロセッサ９１０によって実装できる。これらのユニットは、無線通信ネットワークによって使用される無線技術（たとえばＷ−ＣＤＭＡ、ｃｄｍａ２０００またはＧＳＭ）に従って処理を行うことができる。
【００６８】
コントローラ／プロセッサ９３０はＵＥ１１０における様々なユニットの動作を指令する。コントローラ／プロセッサ９３０は、図６のプロセス６００、および／または本明細書で説明する技法に関する他のプロセスを実行する。メモリ９３２はＵＥ１１０用のプログラムコードおよびデータを記憶する。
【００６９】
ノードＢ１３０は、送受信機９３８、プロセッサ／コントローラ９４０、メモリ（Ｍｅｍ）９４２、および通信（Ｃｏｍｍ）ユニット９４４を含む。送受信機９３８は、ＵＥ１１０および他のＵＥとの無線通信をサポートする。プロセッサ／コントローラ９４０は、ＵＥとの通信のための様々な機能を実行し、図８のプロセス８００および／または本明細書で説明する技法に関する他のプロセスを実装する。メモリ９４２はノードＢ１３０用のプログラムコードおよびデータを記憶する。通信ユニット９４４は他のネットワークエンティティとの通信を可能にする。
【００７０】
ＣＲＮＣ／ＤＲＮＣ１４０は、プロセッサ／コントローラ９５０、メモリ９５２、および通信ユニット９５４を含む。プロセッサ／コントローラ９５０は、ＵＥの通信をサポートするための様々な機能を実行することができる。メモリ９５２はＣＲＮＣ／ＤＲＮＣ１４０用のプログラムコードおよびデータを記憶することができる。通信ユニット９５４は、他のネットワークエンティティとの通信を可能にすることができる。
【００７１】
ＳＲＮＣ１５０は、プロセッサ／コントローラ９６０、メモリ９６２、および通信ユニット９６４を含む。プロセッサ／コントローラ９６０は、ＵＥに対する通信およびページングをサポートするための様々な機能を実行し、たとえば、どの（１つまたは複数の）セルがＵＥ１１０をページングすべきかを決定すること、ページングメッセージをＵＥに送信すること、高速状態遷移のためにＵＥにページングメッセージで設定情報を送信することなどを行う。プロセッサ／コントローラ９６０は、図７のプロセス７００、および／または本明細書で説明する技法に関する他のプロセスを実装する。メモリ９６２はＳＲＮＣ１５０用のプログラムコードおよびデータを記憶する。通信ユニット９６４は他のネットワークエンティティとの通信を可能にする。
【００７２】
情報および信号は、様々な異なる技術および技法のいずれを使用しても表現できることを当業者は理解されよう。たとえば、上記の説明全体を通じて言及され得るデータ、命令、コマンド、情報、信号、ビット、記号、およびチップは、電圧、電流、電磁波、磁場または磁性粒子、光場または光学粒子、あるいはそれらの任意の組合せで表現することができる。
【００７３】
さらに、本明細書の開示に関して説明した様々な例示的な論理ブロック、モジュール、回路およびアルゴリズムステップは、電子ハードウェア、コンピュータソフトウェアまたは両方の組合せとして実施できることを当業者は理解するであろう。ハードウェアとソフトウェアのこの互換性を明示するために、上記では、例示的な様々なコンポーネント、ブロック、モジュール、回路、およびステップをそれらの機能の観点から一般に説明した。こうした機能が、ハードウェアとして実施されるか、またはソフトウェアとして実施されるかは、全体的なシステムに課せられる特定の用途および設計の制約に依存する。当業者ならば、説明した機能を特定の用途ごとに様々な方法で実装できるが、そのような実装上の決定は、本開示の範囲からの逸脱を引き起こすものと解釈されるべきではない。
【００７４】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブルロジックデバイス、離散的なゲートもしくはトランジスタ論理、離散的なハードウェアコンポーネント、または本明細書で説明した機能を実行するように設計されたそれらの任意の組合せを用いて実装または実行できる。汎用プロセッサはマイクロプロセッサであってよいが、別法として、プロセッサは、任意の従来のプロセッサ、コントローラ、マイクロコントローラ、または状態機械であってよい。プロセッサは、コンピューティングデバイスの組合せ、たとえば、ＤＳＰとマイクロプロセッサの組合せ、複数のマイクロプロセッサ、ＤＳＰコアと連携する１つもしくは複数のマイクロプロセッサ、または他の任意のそのような構成として実施できる。
【００７５】
本明細書の開示に関して説明した方法またはアルゴリズムのステップは、ハードウェア内で直接的に、プロセッサによって実行されるソフトウェアモジュール内で、またはそれら２つの組合せで実施できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク（disk）、リムーバブルディスク（disk）、ＣＤ−ＲＯＭ、または当技術分野で知られている他の任意の形態の記憶媒体の中に存在することができる。例示的な記憶媒体は、プロセッサが記憶媒体から情報を読み取り、記憶媒体に情報を書き込むことができるように、プロセッサに結合される。代替として、記憶媒体をプロセッサに一体化してもよい。プロセッサおよび記憶媒体はＡＳＩＣ内に存在してよい。ＡＳＩＣはユーザ端末内に存在してよい。代替として、プロセッサおよび記憶媒体は別々の構成要素としてユーザ端末内にあってもよい。
【００７６】
１つまたは複数の例示的な設計では、説明した機能は、ハードウェア、ソフトウェア、ファームウェア、またはそれらの任意の組合せで実装することができる。ソフトウェアで実装する場合、機能は、コンピュータ可読媒体上に１つまたは複数の命令またはコードとして記憶または送信することができる。コンピュータ可読媒体は、コンピュータ記憶媒体と、１つの場所から別の場所へのコンピュータプログラムの転送を容易にするいかなる媒体も含む通信媒体との両方を含む。記憶媒体は、汎用または専用コンピュータによってアクセスできるいかなる利用可能な媒体でもよい。たとえば、限定されるものでないが、そのようなコンピュータ可読媒体は、ＲＡＭ、ＲＯＭ、ＥＥＰＲＯＭ、ＣＤ−ＲＯＭまたは他の光ディスク（disk）ストレージ、磁気ディスク（disk）ストレージまたは他の磁気ストレージデバイス、あるいは命令またはデータ構造の形態で所望のプログラムコード手段を搬送または記憶するのに使用でき汎用もしくは専用コンピュータまたは汎用もしくは専用プロセッサによってアクセスできる他の任意の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線およびマイクロ波などの無線技術を使用してウェブサイト、サーバ、または他のリモートソースから送信される場合、同軸ケーブル、光ファイバケーブル、ツイストペア、ＤＳＬ、または赤外線、無線およびマイクロ波などの無線技術は、媒体の定義に含まれる。本明細書では、ディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、この場合、ディスク（disk）は、通常、データを磁気的に再生し、ディスク（disc）はデータをレーザで光学的に再生する。上記のものの組合せもコンピュータ可読媒体の範囲内に含まれるべきである。
【００７７】
本開示の前の説明は、当業者が本開示を行うまたは使用することを可能にするために提供される。本開示の様々な変更は、当業者には容易に明らかとなり、本明細書で定義された一般的原理は、本開示の範囲から逸脱せずに他の変形形態に適用することができる。したがって、本開示は、本明細書に記載の例および設計に限定されるものではなく、本明細書で開示した原理および新規な特徴と合致する最も広い範囲が与えられるべきである。
【図１】
2010514376.tif 000012
【図２】
2010514376.tif 000013
【図３】
2010514376.tif 000014
【図４】
2010514376.tif 000015
【図５】
2010514376.tif 000016
【図６】
2010514376.tif 000017
【図７】
2010514376.tif 000018
【図８】
2010514376.tif 000019
【図９】
2010514376.tif 000020
【国際調査報告】
2010514376.tif 000021
2010514376.tif 000022
2010514376.tif 000023
2010514376.tif 000024
2010514376.tif 000025